(57)【特許請求の範囲】
【請求項１】
河川を監視する河川監視カメラにより撮像された河川画像のデータを、インターネットを経由して一般のユーザが所有する端末装置に提供するデータ提供部と、
前記河川画像のデータが前記端末装置に提供される前に、前記端末装置がインターネットを経由して種々のサイトにアクセスした履歴を示す履歴情報を前記端末装置から取得する履歴取得部と、
前記履歴情報に基づいて、複数の広告のデータを管理する広告管理装置からいずれかの前記広告のデータを取得する広告取得部と、を備え、
前記データ提供部は、前記河川画像のデータと共に前記広告のデータを前記端末装置に提供して、当該河川画像と共に当該広告を前記端末装置に表示させる河川画像提供装置。
【請求項２】
前記端末装置を使用する前記ユーザの興味又は関心のある分野を、前記履歴情報に基づいて推定する分野推定部と、
前記分野を前記河川監視カメラに対応付けて記録する対応付け部と、を備え、
前記広告取得部は、前記分野に基づいて前記広告管理装置から前記広告のデータを取得し、
前記データ提供部は、前記端末装置から要求された前記河川画像のデータと前記広告取得部が取得した前記広告のデータとを前記端末装置に提供する請求項１に記載の河川画像提供装置。
【請求項３】
前記履歴取得部による前記履歴情報の取得、前記分野推定部による前記分野の推定、及び前記対応付け部による前記分野の記録は、前記端末装置から前記河川画像が要求される度に実行され、
前記分野推定部は、前記対応付け部により１つ以上記録された前記分野から代表分野を抽出し、
前記広告取得部は、前記代表分野に基づいて前記広告管理装置から前記広告のデータを取得する請求項２に記載の河川画像提供装置。
【請求項４】
前記河川画像に描写された被写体を検出する被写体検出部を備え、
前記広告取得部は、前記被写体に基づいて前記広告管理装置から前記広告のデータを取得する請求項１〜３のいずれか１項に記載の河川画像提供装置。
【請求項５】
前記被写体検出部により検出された前記被写体に基づいて、前記河川画像に描写された前記河川の監視箇所の利用目的を推定する目的推定部を備え、
前記対応付け部は、前記利用目的を前記河川監視カメラに対応付けて記録し、
前記広告取得部は、前記利用目的に基づいて前記広告管理装置から前記広告のデータを取得する請求項４に記載の河川画像提供装置。
【請求項６】
前記被写体検出部による前記被写体の検出、前記目的推定部による前記利用目的の推定、及び前記対応付け部による前記利用目的の記録は、所定の周期で実行され、
前記目的推定部は、前記対応付け部により１つ以上記録された前記利用目的から代表利用目的を抽出し、
前記広告取得部は、前記代表利用目的に基づいて前記広告管理装置から前記広告のデータを取得する請求項５に記載の河川画像提供装置。
【請求項７】
前記データ提供部は、前記河川の異なる複数の箇所にそれぞれ設けられた複数の前記河川監視カメラにより撮像された前記河川画像のうち、前記端末装置から要求された前記河川画像のデータを前記端末装置に提供し、
前記広告取得部は、前記端末装置から要求された前記河川画像を撮像した前記河川監視
カメラの識別情報に基づいて、前記広告管理装置から前記広告のデータを取得する請求項１〜６のいずれか１項に記載の河川画像提供装置。
【請求項８】
前記データ提供部が提供する前記広告のデータを、前記河川に関連する広告のデータ又は前記河川の管理者が許容した広告のデータに制限する広告制限部を備えた請求項１〜７のいずれか１項に記載の河川画像提供装置。
【請求項９】
前記データ提供部は、前記河川画像と前記広告とを同時に表示させるための河川画像公開ページのデータを前記端末装置に提供する請求項１〜８のいずれか１項に記載の河川画像提供装置。
【請求項１０】
請求項１〜９のいずれか１項に記載の河川画像提供装置と、河川監視カメラと、端末装置と、広告管理装置と、を含み、
前記端末装置は、前記河川監視カメラから前記河川画像提供装置を経由して提供された河川画像のデータと、前記広告管理装置から前記河川画像提供装置を経由して提供された広告のデータとに基づいて、前記河川画像と前記広告とを共に表示可能である河川画像提供システム。
【請求項１１】
前記広告管理装置は、前記河川画像提供装置に提供する前記広告のデータを、前記河川に関連する広告のデータ又は前記河川の管理者が許容した広告のデータに制限する広告制限部を有する請求項１０に記載の河川画像提供システム。
【発明の詳細な説明】
【技術分野】
【０００１】
本発明は、カメラにより撮像された河川画像を提供する河川画像提供装置及び河川画像提供システムに関する。
【背景技術】
【０００２】
特許文献１に開示された河川画像提供システムが知られている。本河川画像提供システムでは、河川を監視するカメラにより撮像された河川画像のデータを河川情報サーバで管理し、河川情報サーバからインターネットを経由して河川画像のデータを一般に提供（公開）している。また、コンテンツプロバイダが提供する検索ページに、河川画像のリンクと広告のリンクを表示させて、広告主から徴収した広告料の一部を河川画像提供システムの運用費に充てている。さらに、水や河川に関連する広告主からの広告を募り、河川画像提供システムを提供するページに広告を掲載している。
【先行技術文献】
【特許文献】
【０００３】
【特許文献１】特開２０１２−４３３９０号公報
【発明の概要】
【発明が解決しようとする課題】
【０００４】
しかしながら、特許文献１の技術では、ユーザが河川監視カメラにより撮像された河川画像をインターネットに接続した端末装置等で見ているときに、適した広告を見ることができないので不便である。
そこで、本発明は上記問題点に鑑み、河川画像を見るユーザの利便性を向上させることを目的とする。
【課題を解決するための手段】
【０００５】
上記の技術的課題を解決するための本発明の技術的手段は、以下に示す点を特徴とする。
本発明の一態様にかかる河川画像提供装置は、河川を監視する河川監視カメラにより撮像された河川画像のデータを、インターネットを経由して一般のユーザが所有する端末装置に提供するデータ提供部と、前記河川画像のデータが前記端末装置に提供される前に、前記端末装置がインターネットを経由して種々のサイトにアクセスした履歴を示す履歴情報を前記端末装置から取得する履歴取得部と、前記履歴情報に基づいて、複数の広告のデータを管理する広告管理装置からいずれかの前記広告のデータを取得する広告取得部と、を備え、前記データ提供部は、前記河川画像のデータと共に前記広告のデータを前記端末装置に提供して、当該河川画像と共に当該広告を前記端末装置に表示させる。
【０００６】
また、本発明の一態様では、前記河川画像提供装置は、前記端末装置を使用する前記ユーザの興味又は関心のある分野を、前記履歴情報に基づいて推定する分野推定部と、前記分野を前記河川監視カメラに対応付けて記録する対応付け部と、を備え、前記広告取得部は、前記分野に基づいて前記広告管理装置から前記広告のデータを取得し、前記データ提供部は、前記端末装置から要求された前記河川画像のデータと前記広告取得部が取得した前記広告のデータとを前記端末装置に提供する。
【０００７】
また、本発明の一態様では、前記河川画像提供装置は、前記履歴取得部による前記履歴情報の取得、前記分野推定部による前記分野の推定、及び前記対応付け部による前記分野の記録は、前記端末装置から前記河川画像が要求される度に実行され、前記分野推定部は、前記対応付け部により１つ以上記録された前記分野から代表分野を抽出し、前記広告取得部は、前記代表分野に基づいて前記広告管理装置から前記広告のデータを取得する。
【０００８】
また、本発明の一態様では、前記河川画像提供装置は、河川画像に描写された被写体を検出する被写体検出部を備え、前記広告取得部は、前記被写体に基づいて前記広告管理装置から前記広告のデータを取得する。
また、本発明の一態様では、前記河川画像提供装置は、被写体検出部により検出された前記被写体に基づいて、前記河川画像に描写された前記河川の監視箇所の利用目的を推定
する目的推定部を備え、前記対応付け部は、前記利用目的を前記河川監視カメラに対応付けて記録し、前記広告取得部は、前記利用目的に基づいて前記広告管理装置から前記広告のデータを取得する。
【０００９】
また、本発明の一態様では、前記被写体検出部による前記被写体の検出、前記目的推定部による前記利用目的の推定、及び前記対応付け部による前記利用目的の記録は、所定の周期で実行され、前記目的推定部は、前記対応付け部により１つ以上記録された前記利用目的から代表利用目的を抽出し、前記広告取得部は、前記代表利用目的に基づいて前記広告管理装置から前記広告のデータを取得する。
【００１０】
また、本発明の一態様では、前記データ提供部は、前記河川の異なる複数の箇所にそれぞれ設けられた複数の前記河川監視カメラにより撮像された前記河川画像のうち、前記端末装置から要求された前記河川画像のデータを前記端末装置に提供し、前記広告取得部は、前記端末装置から要求された前記河川画像を撮像した前記河川監視カメラの識別情報に基づいて、前記広告管理装置から前記広告のデータを取得する。
【００１１】
また、本発明の一態様では、前記河川画像提供装置前記データ提供部が提供する前記広告のデータを、前記河川に関連する広告のデータ又は前記河川の管理者が許容した広告のデータに制限する広告制限部を備える。
また、本発明の一態様では、前記データ提供部は、前記河川画像と前記広告とを同時に表示させるための河川画像公開ページのデータを前記端末装置に提供する。
【００１２】
本発明の一態様による河川画像提供システムは、河川画像提供装置と、河川監視カメラと、端末装置と、広告管理装置と、を含み、端末装置は、前記河川監視カメラから前記河川画像提供装置を経由して提供された河川画像のデータと、前記広告管理装置から前記河川画像提供装置を経由して提供された広告のデータとに基づいて、前記河川画像と前記広告とを共に表示可能である。
【００１３】
また、本発明の一態様では、広告管理装置は、河川画像提供装置に提供する広告のデータを、河川に関連する広告のデータ又は河川の管理者が許容した広告のデータに制限する広告制限部を有する。
【発明の効果】
【００１４】
本発明によれば、河川画像を見るユーザの利便性を向上させることができる。
【図面の簡単な説明】
【００１５】
【図１】河川画像提供システムの構成図である。
【図２Ａ】河川画像提供装置の動作を示すフローチャートである。
【図２Ｂ】河川画像管理装置の動作を示すフローチャートである。
【図３】河川監視カメラと推定目的の対応関係を示した図である。
【図４】河川監視カメラと推定分野の対応関係を示した図である。
【図５】河川画像公開ページの表示例を示した図である。
【発明を実施するための形態】
【００１６】
以下、本発明の実施の形態を図面に基づいて説明する。
まず、本実施形態の河川画像提供システム１の構成を説明する。
図１は、河川画像提供システム１の構成図である。
河川画像提供システム１は、河川画像提供装置２と河川監視カメラ３と広告管理装置４と端末装置５とを含んでいる。
【００１７】
河川監視カメラ３は、１つ又は複数の河川の異なる複数の箇所にそれぞれ設けられている。河川監視カメラ３は、撮像することにより河川の監視対象箇所を監視する。河川監視カメラ３は、制御部３ａ、記憶部３ｂ、撮像部３ｃ、画像処理部３ｄ、及び通信部３ｅを備えている。
制御部３ａは、ＣＰＵやメモリ等から構成されている。制御部３ａは、河川監視カメラ３の各部の動作を制御する。記憶部３ｂは、揮発性又は不揮発性のメモリ等から構成されている。撮像部３ｃは、河川の監視対象箇所とこの周囲を撮像する。画像処理部３ｄは、撮像部３ｃから出力される河川画像のアナログ信号を処理して、デジタルのデータを生成する。
【００１８】
通信部３ｅは、河川画像提供装置２と通信するための通信モジュールから構成されている。具体的には、例えば、ＩＥＥＥ８０２．１１シリーズのＷｉ-Ｆｉ（Wireless Fidelity、登録商標）、ＢＬＥ（Bluetooth（登録商標）Low Energy）、ＬＰＷＡ(Low Power, Wide Area)、ＬＰＷＡＮ(Low-Power Wide-Area Network)等の通信規格により河川画像提供装置２と通信可能に、通信部３ｅは構成されている。他の例として、インターネット、携帯電話通信網、又はその他のデータ通信網等の公衆通信網を介して、無線又は有線で河川画像提供装置２と通信可能に、通信部３ｅを構成してもよい。
【００１９】
制御部３ａは、撮像部３ｃにより撮像して画像処理部３ｄにより処理した河川画像のデータを、通信部３ｅにより河川画像提供装置２に送信する。またこの際、制御部３ａは、送信する河川画像のデータに自身が属する河川監視カメラ３のＩＤ（識別情報）を付帯させる。河川監視カメラ３のＩＤは、予め記憶部３ｂに記憶されている。
広告管理装置４は、管理センタ（図示省略）等に設置されたサーバ等である。公告管理装置４は、制御部４ａ、記憶部４ｂ、データベース４ｃ、及び通信部４ｅを備えている。制御部４ａは、ＣＰＵやメモリ等から構成されている。制御部４ａは、公告管理装置４の各部の動作を制御する。制御部４ａには、広告制限部４ｓが設けられている。広告制限部４ｓは、ソフトウェアプログラムにより構成されている。他の例として、ハードウェアで広告制限部４ｓを構成してもよい。
【００２０】
記憶部４ｂは、メモリ等から構成されている。データベース４ｃは、ハードディスク等から構成されている。データベース４ｃには、複数の広告のデータが記憶されている。広告管理装置４は、複数の広告のデータをデータベース４ｃにより管理している。
通信部４ｅは、河川画像提供装置２と通信するための通信モジュールから構成されている。具体的には、例えば前述したＷｉ-Ｆｉ（登録商標）、ＢＬＥ、ＬＰＷＡ、ＬＰＷＡＮ等の通信規格により河川画像提供装置２と通信可能に、通信部４ｅは構成されている。他の例として、インターネット、携帯電話通信網、又はその他のデータ通信網等の公衆通信網を介して、無線又は有線で河川画像提供装置２と通信可能に、通信部４ｅを構成してもよい。
【００２１】
制御部４ａは、通信部４ｅにより河川画像提供装置２に対して信号や情報等を送受信する。また、制御部４ａは、河川画像提供装置２から送信された広告要求信号を通信部４ｅにより受信すると、当該広告要求信号に基づいてデータベース４ｃから対応する広告のデータを読み出して、当該データを通信部４ｅにより河川画像提供装置２に提供（送信）する。
【００２２】
広告制限部４ｓは、河川画像提供装置２に提供する広告のデータを、河川に関連する広告のデータ又は河川の管理者が許容した広告のデータに制限する。他の例として、データベース４ｃに記憶させる広告のデータを、広告制限部４ｓにより河川に関連する広告のデータ又は河川の管理者が許容した広告のデータに制限してもよい。
端末装置５は、一般のユーザが所有するパーソナルコンピュータ、スマートフォン、又はタブレット機等である。端末装置５は、制御部５ａ、記憶部５ｂ、表示部５ｃ、操作部５ｄ、及び通信部５ｅを備えている。制御部５ａは、ＣＰＵやメモリ等から構成されている。制御部５ａは、端末装置５の各部の動作を制御する。記憶部５ｂは、メモリ等から構成されている。表示部５ｃは、液晶等のディスプレイから構成されている。操作部５ｄは、操作キーやマウス等から構成されている。なお、端末装置５がスマートフォンやタブレット機である場合は、表示部５ｃと操作部５ｄとを兼ねるタッチパッドが備わっている。
【００２３】
通信部５ｅは、インターネットを経由した通信を行うための通信モジュールから構成されている。制御部５ａは、操作部５ｄにより入力された指示に基づいて、当該指示の内容を示す信号を通信部５ｅにより河川画像提供装置２に対して送信する。端末装置５から河川画像提供装置２に対して送信される信号には、例えば、河川画像を要求する画像要求信号が含まれる。この画像要求信号に応答して、河川画像提供装置２から送信された河川画像のデータを通信部５ｅにより受信すると、制御部５ａは、当該データに基づいて河川画像を表示部５ｃに表示させる。
【００２４】
また、制御部５ａは、操作部５ｄによりインターネットに接続された他の装置に対して
信号、情報、及びデータを送受信する。そして、制御部５ａは、インターネットを経由して種々のサイトにアクセスした履歴を示す履歴情報を生成して、当該履歴情報を記憶部５ｂに記憶させ、当該履歴情報を随時更新する。また、制御部５ａは、河川画像提供装置２からの要求に従って、記憶部５ｂから履歴情報を読み出して、当該履歴情報を通信部５ｅにより河川画像提供装置２に送信する。
【００２５】
河川画像提供装置２は、管理センタに設置されたサーバ等である。河川画像提供装置２は、制御部２ａ、記憶部２ｂ、データベース２ｃ、画像処理部２ｄ、及び通信部２ｅを備えている。制御部２ａは、ＣＰＵやマイクロコンピュータやメモリ等から構成されている。制御部２ａは、河川画像提供装置２の各部の動作を制御する。
制御部２ａには、被写体検出部２ｆ、目的推定部２ｇ、履歴取得部２ｈ、分野推定部２ｉ、対応付け部２ｊ、広告取得部２ｋ、データ提供部２ｒ、及び広告制限部２ｓが設けられている。これらの各部２ｆ〜２ｋ、２ｒ、２ｓは、ソフトウェアプログラムにより構成されている。他の例として、ハードウェアで上記各部２ｆ〜２ｋ、２ｒ、２ｓを構成してもよい。記憶部２ｂは、メモリ等から構成されている。データベース２ｃは、ハードディスク等から構成されている。
【００２６】
通信部２ｅは、河川監視カメラ３、広告管理装置４、及び端末装置５と通信するための通信モジュールから構成されている。具体的には、例えば前述したＷｉ-Ｆｉ（登録商標）、ＢＬＥ、ＬＰＷＡ、ＬＰＷＡＮ等の通信規格により河川監視カメラ３や広告管理装置４と通信可能で且つ、インターネットを経由して端末装置５と通信可能に、通信部２ｅは構成されている。他の例として、携帯電話通信網、又はその他のデータ通信網等の公衆通信網を介して、無線又は有線で端末装置５と通信可能に、通信部２ｅを構成してもよい。
【００２７】
制御部２ａは、河川監視カメラ３から送信された河川画像のデータを通信部２ｅにより受信して、当該データをデータベース２ｃに記憶（保存）させる。この際、制御部２ａは、通信部２ｅにより受信した河川画像のデータに付帯された河川監視カメラ３（当該画像の撮像元）のＩＤを、当該河川画像のデータと対応付けてデータベース２ｃに記憶させる。データベース２ｃは、河川監視カメラ３で撮像された河川画像のデータを記憶する画像記憶部である。河川画像提供装置２は、複数の河川画像のデータをデータベース２ｃにより管理している。また、データベース２ｃには、インターネットを経由して河川画像を公開するための河川画像公開ページのデータが記憶されている。
【００２８】
制御部２ａは、端末装置５がインターネットを経由して河川画像管理装置２に接続されると、データベース２ｃから河川画像公開ページのデータを読み出して、当該データを通信部２ｅにより端末装置５に送信する。そして、制御部２ａは、端末装置５から送信された画像要求信号を通信部２ｅにより受信すると、当該画像要求信号に基づいてデータベース２ｃから河川画像のデータを読み出して、当該データを端末装置５に送信する。画像処理部２ｄは、制御部２ａによりデータベース２ｃから読み出された河川画像のデータを再生処理する。
【００２９】
被写体検出部２ｆは、端末装置５からの画像要求信号を通信部２ｅにより受信したときに、制御部２ａがデータベース２ｃから読み出した河川画像のデータに基づいて、当該河川画像に描写された被写体を検出する。目的推定部２ｇは、被写体検出部２ｆが検出した被写体に基づいて、上記河川画像に描写された河川の監視箇所の利用目的を推定する。対応付け部２ｊは、目的推定部２ｇが推定した利用目的を、読み出した河川画像を撮像した河川監視カメラ３のＩＤと対応付けて記憶部２ｂに記録する。
【００３０】
履歴取得部２ｈは、端末装置５からの画像要求信号を通信部２ｅにより受信したときに、通信部２ｅによりインターネットを経由して端末装置５から履歴情報を取得（受信）する。この履歴情報とは、端末装置５がインターネットを経由して種々のサイトにアクセスした履歴を示す情報のことであり、記憶部５ｂに記憶されている。
分野推定部２ｉは、履歴取得部２ｈが取得した履歴情報に基づいて、端末装置５を使用するユーザの興味又は関心のある分野を推定する。対応付け部２ｊは、分野推定部２ｉが推定した分野を、端末装置５から要求された河川画像を撮像した河川監視カメラ３のＩＤと対応付けて記憶部２ｂに記録する。
【００３１】
広告取得部２ｋは、対応付け部２ｊが記録した目的情報、分野情報、又は河川監視カメラ３のＩＤに基づいて、通信部２ｅにより広告管理装置４からいずれかの広告のデータを取得する。
データ提供部２ｒは、複数の河川監視カメラ３が撮像した河川画像のデータのうち、端末装置５から要求された河川監視カメラ３により撮像された河川画像のデータを端末装置５に提供する。またその際、データ提供部２ｒは、端末装置５で河川画像と共に広告を表示させるために、広告取得部２ｋが取得した広告のデータも端末装置５に提供する。
【００３２】
広告制限部２ｓは、データ提供部２ｒが端末装置５に提供する広告のデータを、河川に関連する広告のデータ又は河川の管理者が許容した広告のデータに制限する。なお、広告管理装置４にも広告制限部４ｓが備わっているが、例えば広告制限部２ｓ、４ｓのうちいずれか一方を省略してもよい。
次に、河川画像提供システム１の動作を説明する。
【００３３】
図２Ａ及び図２Ｂは、河川画像提供装置２の動作を示すフローチャートである。
河川監視カメラ３では、制御部３ａが撮像部３ｃにより河川を撮像して、撮像部３ｃから画像処理部３ｄを経由して入力される河川画像のデータを、通信部３ｅにより所定の周期で河川画像提供装置２に送信する。そして、河川画像提供装置２では、制御部２ａが、河川監視カメラ３から送信された河川画像のデータを通信部２ｅにより受信して、当該データをデータベース２ｃに記憶（保存）させる（図２ＡのＳ１）。このとき、制御部２ａは、河川画像のデータに、当該河川画像の撮像元である河川監視カメラ３のＩＤと、当該河川画像が撮像された日時とを関連付けてデータベース２ｃに記憶させる。
【００３４】
次に、制御部２ａは、内蔵するタイマの計時時間を参照する等して、所定の検出タイミングであるか否かを確認する。検出タイミングにならない間は（Ｓ２：ＮＯ）、制御部２ａは、河川監視カメラ３からの河川画像のデータの受信と記憶を繰り返す（Ｓ１）。そして、検出タイミングになると（Ｓ２：ＹＥＳ）、制御部２ａは、データベース２ｃから河川画像のデータを読み出す（Ｓ３）。処理Ｓ２で検出タイミングになるのを待つことで、以降の処理Ｓ４〜Ｓ６が所定の周期で実行される。処理Ｓ３では、制御部２ａは、例えばデータベース２ｃに記憶された最新の河川画像のデータを読み出す。データベース２ｃから読み出された河川画像のデータは、画像処理部２ｄにより再生処理される。
【００３５】
次に、被写体検出部２ｆが、再生された河川画像に描写された被写体を検出する（Ｓ４）。このとき、例えば、データベース２ｃに予め登録された被写体の候補となる物体や人等の画像に基づいて、河川画像に描写された被写体を検出する。
次に、目的推定部２ｇが、被写体検出部２ｆにより検出された被写体に基づいて、河川画像に描写された河川の監視箇所の利用目的を推定する。そして、対応付け部２ｊが、当該推定利用目的を河川画像の撮像元である河川監視カメラ３のＩＤと対応付けて記憶部２ｂに記録する（Ｓ５）。
【００３６】
次に、目的推定部２ｇが、対応付け部２ｊにより記憶部２ｂに記録された１つ以上の推定利用目的から、例えば最も多い推定利用目的を代表利用目的として抽出する。そして、対応付け部２ｊが、当該代表利用目的を河川画像の撮像元である河川監視カメラ３のＩＤと対応付けて記憶部２ｂに記録する（Ｓ６）。
図３は、河川監視カメラ３と推定利用目的の対応関係を示した図である。
【００３７】
図２Ａの処理Ｓ４〜Ｓ６が実行されることで、図３に示すようなテーブルの情報が対応付け部２ｊにより記憶部２ｂに記録される。図３において、各河川監視カメラ３のＩＤには、各河川監視カメラ３による河川画像の撮像日時、被写体検出部２ｆにより検出された被写体、目的推定部２ｇにより推定された各河川監視カメラ３の監視箇所の利用目的、及び目的推定部２ｇにより抽出された代表利用目的が対応付けられている。
【００３８】
例えば、河川監視カメラ３のＩＤ「Ａ００１０１」には、被写体として「工事車両」、「水位表示器」、「作業者」、及び「防災車両」等が対応付けられ、推定利用目的として「工事」と「防災」等が対応付けられ、代表利用目的として「防災」が対応付けられている。また、河川監視カメラ３のＩＤ「Ａ００１０２」には、被写体として「野球場」、「人」、「サッカーゴール」、及び「車」等が対応付けられ、推定利用目的として「スポーツ」と「レジャー」と「車」等が対応付けられ、代表利用目的として「スポーツ」が対応付けられている。また、河川監視カメラ３のＩＤ「Ａ００１０３」には、被写体として「水田」、「車」、「畑」、及び「農業機械」等が対応付けられ、推定利用目的として「農業」と「車」等が対応付けられ、代表利用目的として「農業」が対応付けられている。
【００３９】
次に、制御部２ａは、インターネットを経由した端末装置５からのアクセスの有無を確認する。このとき、端末装置５からのアクセスが無ければ（Ｓ７：ＮＯ）、処理Ｓ１から以降の処理が繰り返される。
対して、端末装置５からのアクセスが有ると（Ｓ７：ＹＥＳ）、制御部２ａは、河川画像公開ページのデータを、通信部２ｅにより端末装置５に提供（送信）する（Ｓ８）。端末装置５は、通信部５ｅにより河川画像公開ページのデータを取得（受信）すると、当該データに基づいて河川画像公開ページを表示部５ｃに表示させる。
【００４０】
図５は、河川画像公開ページＰの表示例を示した図である。端末装置５の表示部５ｃに表示される河川画像公開ページＰには、地図ウインドウＷ１と画像ウインドウＷ２と広告ウインドウＷ３が描かれている。地図ウインドウＷ１は、河川画像提供システム１が適用された河川Ｒの周辺の地図を表示するウインドウである。地図ウインドウＷ１には、河川Ｒの異なる複数の監視箇所に設置された各河川監視カメラ３を示すカメラアイコン３ｉも表示されている（符号一部省略）。
【００４１】
端末装置５のユーザが操作部５ｄを操作して、地図ウインドウＷ１中のいずれかのカメラアイコン３ｉを選択すると、対応する河川監視カメラ３により撮像された河川画像を要求する画像要求信号が、通信部５ｅにより河川画像提供装置２に送信される。このとき、カメラアイコン３ｉに対応する河川監視カメラ３のＩＤも、画像要求信号に付帯された状態で、通信部５ｅにより河川画像提供装置２に送信される。
【００４２】
端末装置５から送信された画像要求信号を通信部２ｅにより受信すると（Ｓ９）、履歴取得部２ｈは、通信部２ｅにより端末装置５に対して履歴情報を要求する履歴要求信号を送信する。端末装置５は、通信部５ｅにより履歴要信号を受信すると、記憶部５ｂに記憶された履歴情報を通信部５ｅにより河川画像提供装置２に送信する。
履歴取得部２ｈが、端末装置５から送信された履歴情報を通信部２ｅにより取得（受信）する（Ｓ１０）。すると、分野推定部２ｉが、端末装置５を使用するユーザの興味又は関心のある分野を、当該履歴情報に基づいて推定する。そして、対応付け部２ｊが、当該推定分野を画像要求信号で要求された河川画像の撮像元である河川監視カメラ３のＩＤと対応付けて記憶部２ｂに記録する（Ｓ１１）。
【００４３】
次に、分野推定部２ｉが、対応付け部２ｊにより記憶部２ｂに記録された１つ以上の推定分野から、例えば最も多い推定分野を代表分野として抽出する。そして、対応付け部２ｊが、当該代表分野を画像要求信号で要求された河川画像の撮像元である河川監視カメラ３のＩＤと対応付けて記憶部２ｂに記録する（Ｓ１２）。
図４は、河川監視カメラ３と推定分野の対応関係を示した図である。
【００４４】
図２Ｂの処理Ｓ１１とＳ１２が実行されることで、図４に示すようなテーブルの情報が対応付け部２ｊにより記憶部２ｂに記録される。図４において、各河川監視カメラ３のＩＤには、端末装置５によるアクセス日時（履歴情報の取得日時と同等）、分野推定部２ｉにより推定されたユーザの興味・関心のある推定分野、及び目的推定部２ｇにより抽出された代表分野が対応付けられている。
【００４５】
例えば、河川監視カメラ３のＩＤ「Ａ００１０１」には、推定分野として「釣り」、「車」、及び「防災」等が対応付けられ、代表分野として「防災」が対応付けられている。また、河川監視カメラ３のＩＤ「Ａ００１０２」には、推定分野として「ファッション」、「釣り」、及び「レジャー」等が対応付けられ、代表分野として「釣り」が対応付けられている。河川監視カメラ３のＩＤ「Ａ００１０３」には、推定分野として「農業」、「車」、及び「ゲーム」等が対応付けられ、代表分野として「農業」が対応付けられている。
【００４６】
次に、データ提供部２ｒが、画像要求信号で要求された河川画像のデータをデータベース２ｃから読み出す（Ｓ１３）。また、広告取得部２ｋが、画像要求信号に付帯された河
川監視カメラ３のＩＤに対応する代表利用目的（図３）と代表分野（図４）とを記憶部２ｂから読み出す（Ｓ１４）。そして、広告取得部２ｋは、当該代表利用目的と代表分野とに基づいて、通信部２ｅにより広告管理装置４からいずれかの広告のデータを取得（受信）する（Ｓ１５）。
【００４７】
処理Ｓ１５では、例えば、まず広告取得部２ｋが代表利用目的と代表分野とを示す検索情報を含んだ広告要求信号を生成して、当該広告要求信号を通信部２ｅにより広告管理装置４に送信する。広告管理装置４では、広告要求信号を通信部４ｅにより受信すると、制御部４ａが、当該広告要求信号に基づいて、データベース４ｃから広告のデータを読み出す。このとき、制御部４ａは、広告要求信号に含まれる検索情報（代表利用目的と代表分野）に関連する広告のデータを読み出す。そして、制御部４ａが当該広告のデータを通信部４ｅにより河川画像提供装置２に送信し、河川画像提供装置２の通信部２ｅが当該広告のデータを受信する。
【００４８】
具体的には、例えば、図３及び図４に示すように代表利用目的と代表分野が記憶部２ｂに記録されている場合、図２Ａの処理Ｓ９で、ＩＤが「Ａ００１０１」である河川監視カメラ３が撮像した河川画像が要求されたときには、図２Ｂの処理Ｓ１５で、広告取得部２ｋは防災に関連する広告（防災グッズ等）のデータを広告管理装置４から取得する。また、処理Ｓ９で、ＩＤが「Ａ００１０２」である河川監視カメラ３が撮像した河川画像が要求されたときには、処理Ｓ１５で、広告取得部２ｋはスポーツ又は釣りに関連する広告（スポーツ用品や釣り道具等）のデータを広告管理装置４から取得する。また、処理Ｓ９で、ＩＤが「Ａ００１０３」である河川監視カメラ３が撮像した河川画像が要求されたときには、処理Ｓ１５で、広告取得部２ｋは農業に関連する広告（作物や種苗や農業機械等）のデータを広告管理装置４から取得する。
【００４９】
なお、代表利用目的と代表分野とが一致しない場合は、例えば、予め代表利用目的と代表分野とに設定された優先順位や重み付け値等に基づいて、広告取得部２ｋが広告管理装置４からいずれかの広告のデータを取得してもよい。
次に、広告制限部２ｓが、広告取得部２ｋにより取得された広告のデータに基づいて、当該広告の文書情報や画像情報等の内容を確認する。このとき、当該広告が河川に関連する広告ではなく（Ｓ１６：ＮＯ）、予め設定された許容広告でもない（Ｓ１７：ＮＯ）場合は、広告制限部２ｓが当該広告のデータを破棄する（Ｓ１８）。そして、データ提供部２ｒが、処理Ｓ１３で読み出した河川画像のデータだけを通信部２ｅにより端末装置５に提供（送信）する（Ｓ１９）。この後は、処理Ｓ１から以降の処理が繰り返される。
【００５０】
一方、広告取得部２ｋにより取得された広告が、河川に関連する広告である（Ｓ１６：ＹＥＳ）場合や、許容広告である場合（Ｓ１７：ＹＥＳ）には、データ提供部２ｒが、処理Ｓ１３で読み出した河川画像のデータと、処理Ｓ１５で取得した広告のデータとを、通信部２ｅにより端末装置５に提供する（Ｓ２０）。この後は、処理Ｓ１から以降の処理が繰り返される。
【００５１】
端末装置５では、河川画像提供装置２から提供された河川画像のデータを通信部５ｅにより受信すると、制御部５ａが、当該データに基づく河川画像を表示部５ｃに表示させる。このとき、制御部５ａは、表示部５ｃに表示中の河川画像提供ページＰの画像ウインドウＷ２（図５）に、河川画像を表示させる。また、河川画像提供装置２から提供された広告のデータを通信部５ｅにより受信すると、制御部５ａが、当該データに基づく広告を表示部５ｃに表示させる。このとき、制御部５ａは、河川画像提供ページＰの広告ウインドウＷ３に、広告を表示させる。
【００５２】
即ち、河川画像提供装置２から河川画像のデータだけを通信部５ｅにより受信した場合は、当該河川画像だけが表示部５ｃにより表示されて、ユーザが当該河川画像を目視可能になる。また、河川画像提供装置２から河川画像のデータと広告のデータとを両方とも通信部５ｅにより受信した場合は、当該河川画像と広告とが表示部５ｃにより同時に表示されて、ユーザが当該河川画像と広告とを目視可能になる。
【００５３】
なお、河川監視カメラ３、河川画像提供装置２、又は端末装置５で扱われる河川画像は、静止画でもよいし、或いは動画でもよい。
上述した河川画像提供ページＰを見るユーザには、河川の状況だけでなく、河川で行う釣りやレジャー等の利用目的に関連する情報も欲しているユーザがいる。このため、例えば、河川画像提供ページＰで河川画像と共に表示する広告の範囲（種類）を、河川画像提供ページＰにおいてユーザにより設定可能にしてもよい。そして、その広告の範囲の設定結果を河川画像提供装置２が端末装置５から取得して記憶し、以降は当該設定結果に基づいて、河川画像提供装置２が広告管理装置４から広告のデータを取得して、河川画像のデータと共に端末装置５に提供するようにしてもよい。また、河川や河川画像提供システム１の管理者が広告主から徴収する広告料を、上記の広告の範囲の設定結果に応じて変更してもよい。具体的には、例えば上記の広告の範囲が広くなる程、広告料を高額にする。これらにより、ユーザ、管理者、及び広告主の利便性が向上する。
【００５４】
また、上述した河川画像に描写された被写体の判別、河川の監視箇所の利用目的の推定、端末装置５のユーザの興味・関心のある分野の推定、又は広告の選択等は、人工知能（ＡＩ）を用いて実行してもよい。
具体的には、例えば、河川画像提供装置２において、データベース２ｃに記憶された複数の河川画像を読み出して、人工知能による深層学習を実行し、各河川監視カメラ３が撮像した河川画像に描写される被写体の種類の傾向を学習済みモデルとして構築する。この後、制御部２ａが、当該学習済みモデルと、河川監視カメラ３により撮像された河川画像とに基づいて、当該河川画像に描写された被写体の種類を判別する。そして、制御部２ａは、被写体の種類に関連する広告のデータを広告管理装置４から取得し、当該広告のデータを河川画像のデータと共に端末装置５に送信して、当該広告と河川画像とを表示部５ｃにより同時に表示させる。
【００５５】
本実施形態の河川画像提供装置２及び河川画像提供システム１は、以下の効果を奏する。
本実施形態の河川画像提供装置２は、河川を監視する河川監視カメラ３により撮像された河川画像のデータを、インターネットを経由して一般のユーザが所有する端末装置５に提供するデータ提供部２ｒと、河川画像のデータが端末装置５に提供される前に、端末装置５がインターネットを経由して種々のサイトにアクセスした履歴を示す履歴情報を端末装置５から取得する履歴取得部２ｈと、前記履歴情報に基づいて、複数の広告のデータを管理する広告管理装置４からいずれかの広告のデータを取得する広告取得部２ｋと、を備え、前記データ提供部２ｒは、河川画像のデータと共に広告のデータを端末装置５に提供して、当該河川画像と共に当該広告を端末装置５に表示させる。
【００５６】
この構成によれば、端末装置５を使用するユーザに適した広告が河川画像と共に端末装置に表示されるので、当該河川画像を見るユーザの利便性を向上させることができる。また、広告主から広告料を徴収して、当該広告料を河川画像提供システムの運用費に充てることで、当該運用費を回収することができる。
また、本実施形態では、河川画像提供装置２は、端末装置５を使用するユーザの興味又は関心のある分野を、前記履歴情報に基づいて推定する分野推定部２ｉと、前記分野を河川監視カメラ３に対応付けて記録する対応付け部２ｊと、を備え、広告取得部２ｋは、前記分野に基づいて広告管理装置から広告のデータを取得し、データ提供部２ｒは、端末装置５から要求された河川画像のデータと広告取得部２ｋが取得した広告のデータとを端末装置５に提供する。これにより、端末装置５を使用するユーザが興味や関心のある分野の広告を、河川画像と共に端末装置５に生じさせて、ユーザの利便性をより向上させることができる。
【００５７】
また、本実施形態では、履歴取得部２ｈによる前記履歴情報の取得、分野推定部２ｉによる前記分野の推定、及び対応付け部２ｊによる前記分野の記録は、端末装置５から河川画像が要求される度に実行され、分野推定部２ｉは、対応付け部２ｊにより１つ以上記録された前記分野から代表分野を抽出し、広告取得部２ｋは、前記代表分野に基づいて広告管理装置４から広告のデータを取得する。
【００５８】
上記により、河川画像提供装置２が端末装置５によりアクセスされる度に、当該端末装置５を使用するユーザに適した広告を、河川画像と共に端末装置５に生じさせて、ユーザ
の利便性をより向上させることができる。また、端末装置５に河川画像と共に表示させる広告の種類を、ユーザの興味や関心に適するように絞り込むことができ、ユーザの利便性をより向上させることと、広告取得部２ｋや広告管理装置４の処理負担を軽減することが可能となる。
【００５９】
また、本実施形態では、河川画像提供装置２は、河川画像に描写された被写体を検出する被写体検出部２ｆを備え、広告取得部２ｋは、前記被写体に基づいて広告管理装置４か記広告のデータを取得する。これにより、河川監視カメラ３が撮像した河川画像に描写された被写体に基づいて、ユーザに適した広告が河川画像と共に端末装置に表示されるので、当該河川画像を見るユーザの利便性を向上させることができる。
【００６０】
また、本実施形態では、河川画像提供装置２は、被写体検出部２ｆにより検出された前記被写体に基づいて、河川画像に描写された河川の監視箇所の利用目的を被写体に基づいて推定する目的推定部２ｇを備え、対応付け部２ｊは、前記利用目的を河川監視カメラ３に対応付けて記録し、広告取得部２ｋは、前記利用目的に基づいて広告管理装置４から広告のデータを取得する。これにより、河川画像に描写された河川の監視箇所の利用目的に適した広告が、当該河川画像と共に端末装置５に表示されるので、当該河川画像を見るユーザの利便性を向上させることができる。
【００６１】
また、本実施形態では、被写体検出部２ｆによる被写体の検出、目的推定部２ｇによる利用目的の推定、及び対応付け部２ｊによる利用目的の記録は、所定の周期で実行され、目的推定部２ｇは、対応付け部２ｊにより１つ以上記録された前記利用目的から代表利用目的を抽出し、広告取得部２ｋは、代表利用目的に基づいて広告管理装置４から広告のデータを取得する。
【００６２】
上記により、被写体検出部２ｆ、目的推定部２ｇ、及び対応付け部２ｊの動作頻度を低減し且つ処理負荷を軽減することができる。また、端末装置５に河川画像と共に表示させる広告の種類を、河川画像に描写された河川の監視箇所に適するように絞り込むことができ、ユーザの利便性をより向上させることと、広告取得部２ｋや広告管理装置４の処理負担を軽減することとが可能となる。
【００６３】
また、本実施形態では、データ提供部２ｒは、河川の異なる複数の箇所にそれぞれ設けられた複数の河川監視カメラ３により撮像された河川画像のうち、端末装置５から要求された河川画像のデータを端末装置５に提供し、広告取得部２ｋは、端末装置５から要求された河川画像を撮像した河川監視カメラ３の識別情報に基づいて、広告管理装置４から広告のデータを取得する。
【００６４】
上記により、河川の異なる箇所に設けられた複数の河川監視カメラ３によりそれぞれ撮像された河川画像を、端末装置５で選択的に表示させて見ることができ、ユーザの利便性をより向上させることが可能となる。また、端末装置５から要求された河川画像の撮像元の河川監視カメラ３や当該カメラ３による河川の監視箇所に適した広告が、当該河川画像と共に端末装置５に表示されるので、ユーザの利便性を一層向上させることができる。
【００６５】
また、本実施形態では、河川画像提供装置２は、データ提供部２ｒが提供する広告のデータを、河川に関連する広告のデータ又は河川の管理者が許容した広告のデータに制限する広告制限部２ｓを備える。これにより、河川画像と共に不適切な広告が端末装置５に表示されるのを防止することができる。
また、本実施形態では、データ提供部２ｒは、河川画像と広告とを同時に表示させるための河川画像公開ページＰのデータを端末装置５に提供する。これにより、端末装置５で表示された河川画像公開ページＰにおいて、河川画像と広告とを同時に表示させることができ、ユーザの利便性をより向上させることが可能となる。
【００６６】
本実施形態の河川画像提供システム１では、河川画像提供装置２と、河川監視カメラ３と、端末装置５と、広告管理装置４と、を含み、端末装置５は、河川監視カメラ３から河川画像提供装置２を経由して提供された河川画像のデータと、広告管理装置４から河川画像提供装置２を経由して提供された広告のデータとに基づいて、河川画像と広告とを共に表示可能である。
【００６７】
上記の構成によれば、河川監視カメラ３により撮像された河川画像に適した広告が当該
河川画像と共に端末装置５に表示されるので、当該河川画像を見るユーザの利便性を向上させることができる。また、広告主から広告料を徴収して、当該広告料を河川画像提供システム１の運用費に充てることで、当該運用費を回収することができる。
また、本実施形態では、広告管理装置４は、河川画像提供装置２に提供する広告のデータを、河川に関連する広告のデータ又は河川の管理者が許容した広告のデータに制限する広告制限部４ｓを有する。これにより、河川画像と共に不適切な広告が端末装置５に表示されるのを防止することができる。
【００６８】
以上、本発明について説明したが、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６９】
１      河川画像提供システム
２      河川画像提供装置
２ｆ      被写体検出部
２ｇ      目的推定部
２ｈ      履歴取得部
２ｉ      分野推定部
２ｊ      対応付け部
２ｋ      広告取得部
２ｒ      データ提供部
２ｓ      広告制限部
３      河川監視カメラ
４      広告管理装置
４ｓ      広告制限部
５      端末装置
Ｐ      河川画像公開ページ
【要約】
【課題】河川画像を見るユーザの利便性を向上させること。
【解決手段】河川画像提供装置は、河川を監視する河川監視カメラにより撮像された河川画像のデータを、インターネットを経由して一般のユーザが所有する端末装置に提供するデータ提供部と、河川画像のデータが端末装置に提供される前に、端末装置がインターネットを経由して種々のサイトにアクセスした履歴を示す履歴情報を前記端末装置から取得する履歴取得部と、当該履歴情報に基づいて、複数の広告のデータを管理する広告管理装置からいずれかの広告のデータを取得する広告取得部と、を備え、データ提供部は、河川画像のデータと共に広告のデータを端末装置に提供して、当該河川画像と共に当該広告を端末装置に表示させる。
【選択図】図１【図１】
0006957724.tif 000002
【図２Ａ】
0006957724.tif 000003
【図２Ｂ】
0006957724.tif 000004
【図３】
0006957724.tif 000005
【図４】
0006957724.tif 000006
【図５】
0006957724.tif 000007